(57)【要約】【課題】  文字等の情報と指定の画像とを組み合わせたものをグループの代表にできるようにしてグループが含む画像の特徴の視覚的な把握がより的確に行えるようにする。【解決手段】  少なくとも１つの画像データファイル１４−ｎが含まれているアルバムのうちのひとつの選択指示と、選択されたアルバムに対応させる画像データファイル１４−ｎの選択指示とを取得する。また、この選択された画像データファイル１４−ｎと共に再生表示するための関連情報の入力を取得し、この関連情報とこの選択された画像データファイル１４−ｎとを画像合成して表紙画像データファイルを作成する。この表紙画像データファイルのファイル名を選択されたアルバムについてのアルバムリスト１７の先頭に挿入することで、両者の関連付けを示すと共に選択されたアルバムが再生される際に表紙画像データファイルが最初に再生されるようにする。【選択図】      図１
2005157909.tif 000002
【特許請求の範囲】
【請求項１】
画像データファイルと当該画像データファイルが属するグループとの従属関係を示すための従属関係情報ファイルを作成する従属関係情報ファイル作成手段を有する画像管理装置において、
画像データファイルを選択する画像データファイル選択手段と、
上記選択された画像データファイルの再生時に再生画像と共に表示するための関連情報を入力する情報入力手段と、
上記関連情報と上記選択された画像データファイルとを共に再生するために用いられる関連情報付画像データファイルを作成する画像データファイル作成手段と、
上記関連情報付画像データファイルが属するグループを選択するグループ選択手段と、
を具備し、
上記従属関係情報ファイル作成手段は、上記関連情報付画像データファイルと上記選択されたグループとの従属関係を特定するための画像特定情報を作成し、当該関連情報付画像データファイルが所定の順位で再生されるように上記従属関係情報ファイルへ当該画像特定情報を格納する
ことを特徴とする画像管理装置。
【請求項２】
少なくとも１つの画像データファイルが格納されていて、当該画像データファイルがグループ化されたファイルグループを選択するファイルグループ選択手段と、
選択されたファイルグループに対応させるための画像データファイルを選択する画像データファイル選択手段と、
上記選択された画像データファイルと共に再生表示するための関連情報を入力する情報入力手段と、
上記関連情報と上記選択された画像データファイルとを画像合成して代表画像データファイルを作成する代表画像作成手段と、
上記作成された代表画像データファイルを上記選択されたファイルグループに関連付けると共に、当該選択されたファイルグループが再生される際の再生順位を規定する関連付け手段と、
を具備したことを特徴とする画像管理装置。
【請求項３】
上記画像データファイル選択手段は、
上記ファイルグループ選択手段によって選択されたファイルグループに格納されている画像データファイルを再生表示する再生表示手段を具備し、
上記再生表示された画像データファイルの中から上記選択を行う
ことを特徴とする請求項２記載の画像管理装置。
【請求項４】
上記代表画像データファイルは、上記選択されたファイルグループが再生される際に表紙として最初に再生されることを特徴とする請求項３記載の画像管理装置。
【請求項５】
上記ファイルグループは当該ファイルグループに格納されている画像データファイルで表されている画像を纏めたアルバムを構成し、
上記代表画像データファイルは、上記選択されたファイルグループであるアルバムの表紙を構成する、
ことを特徴とする請求項２に記載の画像管理装置。
【請求項６】
少なくとも１つの画像データファイルが格納されていて、当該画像データファイルがグループ化されたファイルグループの選択指示を取得し、
選択されたファイルグループに対応させるための画像データファイルの選択指示を取得し、
上記選択された画像データファイルと共に再生表示するための関連情報の入力を取得し、
上記関連情報と上記選択された画像データファイルとを画像合成して代表画像データファイルを作成し、
上記作成された代表画像データファイルを上記選択されたファイルグループに関連付けると共に、当該選択されたファイルグループが再生される際の再生順位を規定する、
ことを特徴とする画像管理方法。
【請求項７】
少なくとも１つの画像データファイルが格納されていて、当該画像データファイルがグループ化されたファイルグループの選択指示を取得する処理と、
選択されたファイルグループに対応させるための画像データファイルの選択指示を取得する処理と、
上記選択された画像データファイルと共に再生表示するための関連情報の入力を取得する処理と、
上記関連情報と上記選択された画像データファイルとを画像合成して代表画像データファイルを作成する処理と、
上記作成された代表画像データファイルを上記選択されたファイルグループに関連付けると共に、当該選択されたファイルグループが再生される際の再生順位を規定する処理と、
をコンピュータに行わせるためのプログラム。
【請求項８】
画像データファイルと共に再生表示するための関連情報が当該画像データファイルと画像合成されてなっており、再生表示される際の再生順位が規定されている代表画像データファイルが格納される画像データファイル格納手段と、
少なくとも１つの画像データファイルがグループ化されてなるファイルグループの中から再生表示するファイルグループを選択するファイルグループ選択手段と、
上記選択されたファイルグループに関連付けられている代表画像データファイルを上記再生順位に従って再生表示する再生表示手段と、
を具備したことを特徴とする画像表示装置。
【発明の詳細な説明】
【技術分野】
【０００１】
本発明は、画像を管理する技術に関し、特に、画像をグループ単位で管理する技術に関する。
【背景技術】
【０００２】
デジタルカメラ（以下、単に「カメラ」と称することとする）での撮影等によって大量に溜まった画像を、例えば撮影日や撮影場所、運動会や旅行などといった行事によって分類して管理する、アルバムソフトというものがある。以前は、アルバムソフトはユーザ宅等に設置されているＰＣ上で実行される形態で使用されるものであったため、アルバムソフトによって提供される機能、例えばアルバムの作成、アルバムへの画像の追加及び削除、他のアルバムへの画像の差し替え、アルバムの閲覧、などといった機能はユーザ宅等でしか行うことができなかった。その一方、画像を撮影したその場で、あるいはＰＣがその場にない旅行先等でアルバムの閲覧をしたい、等のユーザの要望に応えるべく、アルバム機能を搭載したカメラなども昨今は市販されている。
【０００３】
アルバム機能を搭載したカメラにおける画像データ管理の手法について図１６を参照しながら説明する。
図１６は、カメラにおいて画像データを格納しておくメモリカード等の記録媒体での画像データファイルの管理構造を示しており、（ａ）は画像データファイルを重複させる管理例を、また（ｂ）は画像リストファイルによる管理例を示している。
【０００４】
（ａ）に示すフォルダ構造では、画像ルートフォルダＤＣＩＭとアルバムルートフォルダＡＬＢＵＭとがルートディレクトリの直下に配置されている。
画像ルートフォルダは画像データファイルを格納する根元のフォルダであり、そのフォルダ内の直下には、画像格納用フォルダとして１００ＯＬＹＭＰなるフォルダが格納されている。（ａ）において、この１００ＯＬＹＭＰフォルダにはカメラで撮影した画像についての画像データファイルが格納される。すなわち、同図においては００１．ＪＰＧ、００２．ＪＰＧ、００３．ＪＰＧ、…等の画像データファイルが１００ＯＬＹＭＰフォルダに格納されている。
【０００５】
一方、アルバムルートフォルダはアルバムに含まれている画像データファイルを格納する根元のフォルダであり、そのフォルダ内には、ＡＬＢＵＭ１、ＡＬＢＵＭ２、…等のアルバムフォルダが格納されている。（ａ）においては、このうちのＡＬＢＵＭ１なるアルバムフォルダにＸＸＸ．ＪＰＧ、００３．ＪＰＧ、ＹＹＹ．ＪＰＧ、…等の画像データファイルが格納されていることが示されており、このフォルダ構造によって、これらの画像データファイルで表現されている画像が「ＡＬＢＵＭ１」なるアルバムに属している（含まれている）ことが表されている。
【０００６】
ところで、この（ａ）において、矢印を付している画像データファイル００３．ＪＰＧは画像ルートフォルダとアルバムルートフォルダとの両方に格納されている。すなわち、この記録媒体にはデータ内容が同一である画像データファイルが２つ存在しているため、記録領域を無駄に消費していることとなる。カメラにおいては、このような記録領域の無駄な消費は撮影可能枚数の減少に繋がるため余り好ましいことではない。しかも、この記録領域の消費は、同一の画像データファイルが複数のアルバムに属している場合には更に増大してしまう。
【０００７】
一方、（ｂ）に示すフォルダ構造では、画像ルートフォルダＤＣＩＭとアルバムリストファイルＡＬＢＵＭ．ＰＶＭとがルートフォルダの直下に格納されている。
（ｂ）における画像ルートフォルダも、（ａ）と同様、画像データファイルについての根元のフォルダであり、その直下には画像格納用フォルダとして１００ＯＬＹＭＰなるフォルダが格納されている。但し、（ｂ）においては、この１００ＯＬＹＭＰフォルダにはカメラで撮影した画像についての画像データファイルが格納されると共に、アルバムに含まれている画像データファイルも格納される。なお、同図においては、００１．ＪＰＧ、００２．ＪＰＧ、００３．ＪＰＧ、…、ＸＸＸ．ＪＰＧ、ＹＹＹ．ＪＰＧ、…、等の画像データファイルが１００ＯＬＹＭＰフォルダに格納されている。
【０００８】
アルバムリストファイルは、画像ルートフォルダに格納されている画像データファイルとその画像データファイルが属している（その画像データファイルを含んでいる）アルバムとの関係を示している関係情報ファイルである。この画像リストファイルは、（ｂ）に示されているように、各アルバムに属している画像データファイルのファイル名がアルバム毎に並べられたデータ構造を有しており、このアルバム毎のファイル名の並びによって画像データファイルとアルバムとの従属関係を示している。同図に示されているＡＬＢＵＭ．ＰＶＭのデータ例によれば、例えば「ＡＬＢＵＭ１」なるアルバムに属している画像データファイルは、ＸＸＸ．ＪＰＧ、００３．ＪＰＧ、ＹＹＹ．ＪＰＧ、…等であることが示されており、画像データファイルとアルバムとの関係が同図（ａ）と同様に示されている。なお、同図に示すＡＬＢＵＭ．ＰＶＭのデータ例では、画像データファイルが格納されているフォルダを示す情報（１００ＯＬＹＭＰ）は省略している。
【０００９】
この（ｂ）に示すような画像リストファイルを用いて画像データファイルとアルバムとの従属関係を表す手法を採用することにより、（ａ）のような、同一の画像データファイルを記録媒体に複数格納しておくような記録領域の無駄な消費が解消されるので、記録容量の制約が厳しいカメラの記録媒体を効率的に利用することが可能となる。
【００１０】
なお、画像リストファイルを用いてアルバムの管理を行う手法は、光ストレージの標準化団体であるＯＳＴＡ（Optical Storage Technology Association）で開発されたＭＰＶ（Music Photo Video ）規格でも提案されている。
この他の背景技術として、特許文献１には、一連の映像（動画像）の解析に基づいて当該一連の画像より抽出されたインデックス画像から所望の条件で選択される画像を一連の代表画像として時間順に配列して一覧表示することによって全体的な映像の流れの把握を容易とすると共に、代表画像のうちテロップがその中央に表示されているものについては、そのテロップがテレビ番組のタイトル等を示しているとみなし、その画像を本の表紙として表示するようにした、本型の電子映像文書を自動的に作成する技術が開示されている。
【特許文献１】特開平１１−２２４２６６号公報（請求項１、段落［００１１］−［００１５］、［００７８］、図２１−２２）
【発明の開示】
【発明が解決しようとする課題】
【００１１】
ところで、アルバム機能において、複数のアルバムからユーザが所望する画像が含まれているアルバムを探し出す場合、そのアルバムの名称を手がかりとするよりも、個々のアルバムに対して予め指定しておいた１枚の画像、例えばそのアルバムに含まれている画像のうちそのアルバムに含まれる画像の特徴（運動会の写真、旅行の記録、等）を最もよく代表しているものを手がかりにした方が容易である場合が多い。このような画像（以下、「指定画像」と称することとする）は、銀塩写真を綴じて管理するアルバムではそのアルバムの表紙として使用されるものに相当する。
【００１２】
しかし、前掲した特許文献１に開示されている技術のように、テロップなどの文字が表示されている画像を単に指定画像とするのみでは、例えば同一のテレビ番組ではあるが放映回数が異なるためにその内容が全く異なっている場合においても指定画像が同一のものとなってしまうことがあり、その結果上述したようなアルバムが含む画像の特徴の表現に詳細さを欠くこととなってしまうため、アルバムの探索に依然として手間がかかってしまう場合があった。
【００１３】
本発明は上述した問題に鑑みてなされたものであり、その解決しようとする課題は、文字等の情報と指定の画像とを組み合わせたものをグループの代表にできるようにしてグループが含む画像の特徴の視覚的な把握がより的確に行えるようにすることである。
【課題を解決するための手段】
【００１４】
本発明の態様のひとつである画像管理装置は、画像データファイルと当該画像データファイルが属するグループとの従属関係を示すための従属関係情報ファイルを作成する従属関係情報ファイル作成手段を有するものであって、画像データファイルを選択する画像データファイル選択手段と、当該選択された画像データファイルの再生時に再生画像と共に表示するための関連情報を入力する情報入力手段と、当該関連情報と当該選択された画像データファイルとを共に再生するために用いられる関連情報付画像データファイルを作成する画像データファイル作成手段と、当該関連情報付画像データファイルが属するグループを選択するグループ選択手段と、を具備し、当該従属関係情報ファイル作成手段は、当該関連情報付画像データファイルと当該選択されたグループとの従属関係を特定するための画像特定情報を作成し、当該関連情報付画像データファイルが所定の順位で再生されるように当該従属関係情報ファイルへ当該画像特定情報を格納することを特徴とするものである。
【００１５】
この構成によれば、選択された画像データファイルと関連情報とを共に再生するために用いられる関連情報付画像データファイルが作成され、その関連情報付画像データファイルについてのグループとの従属関係及び再生順位が示されている画像特定情報が従属関係情報ファイルに格納されるので、グループの代表としての関連情報付画像データファイルの再生を従属関係情報ファイルに基づいて行うことにより、グループが含む画像の特徴の視覚的な把握がより的確に行えるようになる。
【００１６】
また、本発明の別の態様のひとつである画像管理装置は、少なくとも１つの画像データファイルが格納されていて、当該画像データファイルがグループ化されたファイルグループを選択するファイルグループ選択手段と、選択されたファイルグループに対応させるための画像データファイルを選択する画像データファイル選択手段と、当該選択された画像データファイルと共に再生表示するための関連情報を入力する情報入力手段と、当該関連情報と当該選択された画像データファイルとを画像合成して代表画像データファイルを作成する代表画像作成手段と、当該作成された代表画像データファイルを当該選択されたファイルグループに関連付けると共に、当該選択されたファイルグループが再生される際の再生順位を規定する関連付け手段と、を具備したことを特徴とするものである。
【００１７】
この構成によれば、関連情報と画像データファイルとが画像合成されてなる代表画像データファイルがファイルグループに関連付けられ、また、ファイルグループが再生される際の再生順位が規定されるので、ファイルグループの代表としての代表画像データファイルの再生をこの関連付け及び規定に基づいて行うことにより、ファイルグループが含む画像の特徴の視覚的な把握がより的確に行えるようになる。
【００１８】
なお、上述した本発明に係る画像管理装置において、上記画像データファイル選択手段は、上記ファイルグループ選択手段によって選択されたファイルグループに格納されている画像データファイルを再生表示する再生表示手段を具備し、当該再生表示された画像データファイルの中から上記選択を行うように構成してもよい。
【００１９】
この構成によれば、前述した関連付け及び規定に基づいて行うファイルグループの代表としての代表画像データファイルの再生がこの画像管理装置において可能となるので、ファイルグループが含む画像の特徴の視覚的な把握がより的確に行えるようになる。
なお、このとき、上記代表画像データファイルは、上記選択されたファイルグループが再生される際に表紙として最初に再生されるようにしてもよい。
【００２０】
また、このとき、上記ファイルグループは当該ファイルグループに格納されている画像データファイルで表されている画像を纏めたアルバムを構成し、上記代表画像データファイルは、上記選択されたファイルグループであるアルバムの表紙を構成する、ようにしてもよい。
【００２１】
こうすることにより、アルバムが含む画像の特徴の視覚的な把握がより的確に行えるようになる。
また、本発明の別の態様のひとつである画像管理方法は、少なくとも１つの画像データファイルが格納されていて、当該画像データファイルがグループ化されたファイルグループの選択指示を取得し、選択されたファイルグループに対応させるための画像データファイルの選択指示を取得し、当該選択された画像データファイルと共に再生表示するための関連情報の入力を取得し、当該関連情報と上記選択された画像データファイルとを画像合成して代表画像データファイルを作成し、当該作成された代表画像データファイルを当該選択されたファイルグループに関連付けると共に、当該選択されたファイルグループが再生される際の再生順位を規定する、ことを特徴とするものである。
【００２２】
この方法によっても、前述した本発明に係る画像管理装置と同様の作用・効果を奏する結果、前述した画題が解決される。
なお、少なくとも１つの画像データファイルが格納されていて、当該画像データファイルがグループ化されたファイルグループの選択指示を取得する処理と、選択されたファイルグループに対応させるための画像データファイルの選択指示を取得する処理と、当該選択された画像データファイルと共に再生表示するための関連情報の入力を取得する処理と、当該関連情報と当該選択された画像データファイルとを画像合成して代表画像データファイルを作成する処理と、当該作成された代表画像データファイルを当該選択されたファイルグループに関連付けると共に、当該選択されたファイルグループが再生される際の再生順位を規定する処理と、をコンピュータに行わせるためのプログラムも本発明に係るものであり、当該プログラムをコンピュータで実行させることにより、前述した本発明に係る画像管理装置と同様の作用・効果を奏する結果、前述した画題が解決される。
【００２３】
また、本発明の更なる別の態様のひとつである画像表示装置は、画像データファイルと共に再生表示するための関連情報が当該画像データファイルと画像合成されてなっており、再生表示される際の再生順位が規定されている代表画像データファイルが格納される画像データファイル格納手段と、少なくとも１つの画像データファイルがグループ化されてなるファイルグループの中から再生表示するファイルグループを選択するファイルグループ選択手段と、当該選択されたファイルグループに関連付けられている代表画像データファイルを当該再生順位に従って再生表示する再生表示手段と、を具備したことを特徴とするものである。
【００２４】
この構成によれば、前述した本発明に係る画像管理装置によって与えられる関連付け及び規定に基づいて行うファイルグループの代表としての代表画像データファイルの再生表示が行われるので、ファイルグループが含む画像の特徴の視覚的な把握がより的確に行えるようになる。
【発明の効果】
【００２５】
以上のように、本発明によれば、文字等の情報と指定の画像とを組み合わせたものをグループの代表とすることができるようになり、グループが含む画像の特徴の視覚的な把握がより的確に行えるようになるという効果を奏する。
【発明を実施するための最良の形態】
【００２６】
以下、本発明の実施の形態を図面に基づいて説明する。
まず、本発明の実施例であるアルバム機能の概要について、図１を参照しながら説明する。
図１は、カメラ１０とＰＣ４０とがＵＳＢ（Universal Serial Bus）バス６０を介して接続されている様子を示しており、各種のデータを相互に授受することができる。本実施形態においては、カメラ１０で撮影された画像を一旦ＰＣ４０に転送し、ＰＣ４０でその画像についてのアルバムの作成を行い、作成されたアルバムをＰＣ４０からカメラ１０へ転送する。従って、ユーザは、カメラ１０を携行していれば、ＰＣ４０がその場になくてもアルバムを鑑賞することができる。
【００２７】
図１について更に説明する。カメラ１０には、着脱自在なメモリカード１１が装着されており、各種のデータをメモリカード１１に記録しておくことができる。このメモリカード１１には画像ルートフォルダ１２及びアルバムリストファイル１５が格納されており、これらはいずれもメモリカード１１の記録領域におけるルートディレクトリの直下に配置されている。
【００２８】
カメラ１０で直近に撮影された画像は、画像ルートフォルダ（「ＤＣＩＭ」フォルダ）１２内の画像格納フォルダ（「１００ＯＬＹＭＰ」フォルダ）１３に、画像データファイル１４−１、１４−２、…、１４−ｎ、…（以下、「１４−ｎ」と代表して示す）として格納される。なお、後述するように、画像ルートフォルダ１２内には、カメラ１０で直近に撮影された画像のみならず、アルバムに登録されている（アルバムに含まれている）画像についての画像データファイルも特に区別されることなく格納されるので、カメラ１０で直近に撮影された画像についての画像データファイル１４−ｎについてのファイル名がアルバムリストファイル１５に示されている撮影リスト（「ＳＨＯＴ」）１６に撮影順に追記される。従って、カメラ１０で直近に撮影された画像をカメラ１０からＰＣ４０へ転送するときには、カメラ１０は撮影リスト１６に示されているファイル名である画像データファイル１４−ｎを画像ルートフォルダ１２内から探し出してＰＣ４０へ転送する処理を行う。ＰＣ４０では、カメラ１０から送られてきた画像データファイル１４−ｎを撮影画像データファイル４３−１、４３−２、…、４３−ｎ、…（以下、「４３−ｎ」と代表して示す）として撮影画像フォルダ（「ＭＹＣＡＭＥＲＡ」フォルダ）４２に格納する。撮影画像フォルダ４２はＰＣ４０が有しているＨＤＤ（Hard Disk Drive ）４１の記憶領域に設けられている。
【００２９】
アルバムリストファイル（「ＡＬＢＵＭ．ＰＶＭ」ファイル）１５は画像データファイル１４−ｎの各々と画像データファイル１４−ｎを含んでいる（画像データファイル１４−ｎが属している）アルバムとの関係（従属関係）を表しているファイルであり、各ファイルのファイル名を、そのファイルを含んでいるアルバム毎に並べたアルバムリスト１７によってその関係が表されている。このアルバムリスト１７におけるファイル名の並びにおいて、その先頭には当該アルバムの表紙に相当する表紙画像についての画像データファイルのファイル名を記すようにする。この表紙画像は前述した指定画像に相当するものである。
【００３０】
なお、前述したように、アルバムリストファイル１５には撮影リスト１６も示されている。
なお、本実施形態においては、アルバムリスト１７で管理されるアルバムの個数は予め決められており、各アルバムには、「ＡＬＢＵＭ１」、「ＡＬＢＵＭ２」、「ＡＬＢＵＭ３」、…などと名称が定められているものとする。
【００３１】
アルバムリストファイル１５はアルバムに含まれる画像を表している画像データファイル１４−ｎと共にＰＣ４０から送られてくるものである。カメラ１０は、画像データファイル１４−ｎとアルバムリストファイル１７とがＰＣ４０から送られてくると、画像データファイル１４−ｎについては画像格納フォルダ１３に格納し、アルバムリストファイル１５についてはメモリカード１１の記録領域におけるルートディレクトリの直下に上書きする。但し、このとき、撮影リスト１６は上書き前のものがそのまま保持される。また、アルバムリストファイル１５が存在しないメモリカード１１がカメラ１０に装着されたときには、カメラ１０で撮影した画像についての情報を撮影リスト１６に記す必要があるため、アルバムリストファイル１５が新たに生成されてメモリカード１１に格納される。
【００３２】
以上のように、本実施例におけるカメラ１０におけるメモリカード１１内での画像データファイルの管理構造は、図１６の（ｂ）に示した画像リストファイルによる管理構造を採用しているが、アルバムリスト１７におけるファイル名の並びの先頭には当該アルバムの表紙に相当する表紙画像についての画像データファイルのファイル名が記されるという特徴を有している。
【００３３】
なお、説明を簡単にするため、本実施形態においてはデータ内容の異なるデータファイルのファイル名が画像ルートフォルダ１２内で重複することはないものとする。従って、撮影リスト１６及びアルバムリスト１７に示されているファイル名のみで、画像ルートフォルダ１２内の画像データファイル１４−ｎを唯一つに特定することができる。ここで、例えばファイルの作成日時やファイル名に加えてファイルの格納位置等を示す情報を撮影リスト１６及びアルバムリスト１７に示すようにして、画像ルートフォルダ１２内で画像データファイル１４−ｎのファイル名が重複していても画像データファイル１４−ｎを唯一つに特定できるようにしてもよい。
【００３４】
次に図２について説明する。同図は図１に示したカメラ１０及びＰＣ４０のハードウェア構成を示しており、（ａ）はカメラ１０の構成を、また（ｂ）はＰＣ４０の構成を、それぞれ示している。
（ａ）において、撮像処理部２３、画像処理部２４、ＲＡＭ２５、メモリＩ／Ｆ２６、表示制御部２７、ＵＳＢＩ／Ｆ２９、及びＣＰＵ３０はいずれもバス３３に接続されており、ＣＰＵ３０による管理の下で相互に各種のデータの授受を行うことができる。
【００３５】
レンズ２１によって結像された被写体像は、例えばＣＣＤ（Charge Coupled Device ）である撮像部２２によって電気信号に変換されて撮像処理部２３に入力される。撮像処理部２３では、入力された電気信号を所定の大きさまで増幅した後にアナログ−デジタル変換を行い、被写体像が表されている画像を示す画像データを出力する。
【００３６】
画像処理部２４は、撮像処理部２３から出力された画像データに対して、当該画像データで表現されている画像のγ補正やエッジ強調、ホワイトバランス補正等の画像処理を施す。また、画像データをメモリカード１１に記録する場合には、当該画像データに対してデータ圧縮処理を必要に応じて行う。更に、メモリカード１１に記録されている画像データで表されている画像の再生表示を行う場合には、メモリカード１１から読み出された画像データに対してデータ伸張処理を必要に応じて行う。
【００３７】
ＲＡＭ２５は、画像処理部２４やＣＰＵ３０が各種の処理を行う際に必要に応じて作業用として使用するランダム・アクセス・メモリである。
メモリＩ／Ｆ（インタフェース）２６はメモリカード１１をバス３３に接続するインタフェースであり、ＣＰＵ３０の管理の下でメモリカード１１に対する各種のデータの読み書きを可能とする。
【００３８】
表示処理部２７は、バス３３を経て送られてきた画像データをデジタル−アナログ変換して表示部２８へ与える。
表示部２８は例えばＬＣＤ（Liquid Crystal Display）であり、表示処理部２７に入力された画像データで表されている画像を表示する。
【００３９】
ＵＳＢ（Universal Serial Bus）Ｉ／Ｆ２５は図１に示したＵＳＢバス６０とバス３３とを接続するインタフェースであり、カメラ１０とＰＣ４０との間で各種のデータの授受を可能とする。
ＣＰＵ（Central Processing Unit ）３０はこのカメラ１０全体の動作制御を行う。
【００４０】
ＲＯＭ３１はＣＰＵ３０によって実行される制御プログラムやその実行の際に必要に応じて使用される各種のデータが格納されているリード・オンリ・メモリであり、ＣＰＵ３０はこの制御プログラムを実行することによって上述した動作制御が可能となる。
操作入力部３２はカメラ１０のユーザによって操作されるスイッチ類であり、操作の内容に対応付けられているユーザからの指示を取得してＣＰＵ２９へ渡す。
【００４１】
次に（ｂ）に示すＰＣ４０の構成について説明する。
（ｂ）において、ＣＰＵ５１、ＲＯＭ５２、ＲＡＭ５３、ＨＤＤ４１、入力部５４、データ読み取り装置５５、表示部５６、及びＵＳＢＩ／Ｆ５７はいずれもバス５８に接続されており、ＣＰＵ５１による管理の下で相互に各種のデータの授受を行うことができる。
【００４２】
ＣＰＵ５１はこのＰＣ４０全体の動作制御を行う。
ＲＯＭ５２はＣＰＵ５１によって実行される基本制御プログラムやその実行の際に必要に応じて使用される各種のデータが格納されているリード・オンリ・メモリであり、ＣＰＵ５１はこの基本制御プログラムを実行することによってＰＣ４０全体の動作制御が可能となる。
【００４３】
ＲＡＭ５３はＣＰＵ５１が各種の処理を行う際に必要に応じて作業用として使用するランダム・アクセス・メモリである。
ＨＤＤ４１は磁気ディスク記憶装置であり、前述した撮影画像データファイル４３−ｎの他、ＣＰＵ５１によって実行される各種の制御プログラムやその実行の際に必要に応じて使用される各種のデータを格納することもできる。
【００４４】
入力部５４は例えばマウス等のポインティングデバイスやキーボート装置などを有して構成されており、それらに対する操作の内容に対応付けられているユーザからの指示を取得する。
データ読取装置５５は、例えばＣＤ（Compact Disc）−ＲＯＭドライブやＤＶＤ（Digital Versatile Disc）−ＲＯＭドライブであり、ＣＤ−ＲＯＭやＤＶＤ−ＲＯＭ等の記録媒体５９に記録されている各種のデータを読み取る装置である。後述する画像管理ソフトウェアは記録媒体５９に記録されて配布される。ＰＣ４０では、データ読取装置５５で記録媒体５９からこの画像管理ソフトウェアを読み取ってＨＤＤ４１に予め格納しておき、ユーザによる当該管理ソフトウェアの実行指示が入力部５４へなされると、ＣＰＵ５１はＨＤＤ４１に格納されているこの画像管理ソフトウェアを読み出して実行する。
【００４５】
なお、記録媒体５９としてはインターネット等の通信回線に接続されているプログラムサーバとして機能するコンピュータシステムが備えている記憶装置であってもよい。この場合には、画像管理ソフトウェアを表現するデータ信号で搬送波を変調して得られる伝送信号を、プログラムサーバから伝送媒体である通信回線を通じてこのコンピュータへ伝送するようにし、ＰＣ４０にはこの通信回線との接続装置を備えてこの伝送信号を受信して復調して画像管理ソフトウェアを再現することによりこの画像管理ソフトウェアをＣＰＵ５１で実行できるようになる。
【００４６】
表示部５６はＬＣＤやＣＲＴ（Cathode Ray Tube）等であり、ＣＰＵ５１の指示に応じて所定の画像を表示する。
ＵＳＢＩ／Ｆ２５は図１に示したＵＳＢバス６０とバス５８とを接続するインタフェースであり、ＰＣ４０とカメラ１０との間で各種のデータの授受を可能とする。
【００４７】
なお、ＰＣ４０の構成は、標準的なコンピュータであれば大概のものが備えている構成である。
次に、ＰＣ４０のＣＰＵ５１によって実行される画像管理ソフトウェアについて説明する。このソフトウェアは、カメラ１０によって撮影された画像のＰＣ４０への取り込み、アルバムの作成及び編集、アルバムの表紙に相当する表紙画像の作成、アルバムのカメラ１０への転送、などの機能をＰＣ４０で提供する。以下、画像管理ソフトウェアを実行することでＣＰＵ５１によって行われる各種の制御処理について説明する。
【００４８】
まず図３について説明する。同図は撮影画像取得処理の処理内容をフローチャートで示したものである。この処理は、カメラ１０によって撮影された画像についての画像データファイル１４−ｎをカメラ１０から受け取ってＨＤＤ４１内の撮影画像フォルダ４２に撮影画像データファイル４３−ｎとして格納させる処理である。なお、この処理は、画像管理ソフトウェアが実行されているＰＣにおいて、当該処理の開始を示す指示が入力部５４に対してなされたとき、例えば、画像管理ソフトウェアの実行によって表示部５６に表示されている画面において、「画像読み込み」を示すボタン表示をポインタでクリックさせる操作が入力部５４に対してなされたときに実行が開始される。また、ＰＣ４０とカメラ１０とがＵＳＢバス６０を介して接続されたことがＣＰＵ５１によって検出されたときに自動的に開始されるようにしてもよい。
【００４９】
まず、Ｓ１０１において撮影画像の転送を要求するカメラ１０宛のデータをＵＳＢＩ／Ｆ５７から送出する処理が行われる。
カメラ１０では、ＵＳＢバス６０を介して伝送されるこの転送要求データを受信すると、メモリカード１１に格納されている撮影リスト１６を参照し、そこにファイル名の示されている画像データファイル１４−ｎを画像ルートフォルダ１２から読み出し、そして読み出された画像データファイル１４−ｎをＰＣ４０へ宛ててＵＳＢＩ／Ｆ２９から送出する処理がＣＰＵ３０によって行われる。そして、その後、撮影リスト１６にファイル名の示されている全ての画像データファイル１４−ｎの転送が完了したときには、撮影画像の転送の完了の通知を示すデータをＰＣ４０へ宛ててＵＳＢＩ／Ｆ２９から送出する処理がＣＰＵ３０によって行われる。
【００５０】
Ｓ１０２では、こうしてカメラ１０からＵＳＢバス６０を介して送られてきた画像データファイル１４−ｎをＵＳＢＩ／Ｆ５７で取得する処理が行われ、続くＳ１０３において、取得された画像データファイル１４−ｎをＨＤＤ４１内の撮影画像フォルダ４２へ撮影画像データファイル４３−ｎとして格納する処理が行われる。
【００５１】
その後、Ｓ１０４において、撮影画像の転送の完了の通知を示すデータがカメラ１０から送られてきたか否かを判定する処理が行われ、当該通知を受信した（判定結果がＹｅｓ）ならばこの撮影画像取得処理を終了する。一方、当該通知を未だ受信していない（判定結果がＮｏ）ならばＳ１０２へと処理を戻して上述した処理を繰り返す。
【００５２】
以上まで処理が撮影画像取得処理である。
次に図４及び図５について説明する。同図はアルバム操作処理の処理内容をフローチャートで示したものである。この処理は、アルバム編集、アルバムの表紙に相当する表紙画像の作成、表紙画像へのタイトル文字の合成、及びアルバムのカメラ１０への転送を行うための処理である。なお、この処理は、画像管理ソフトウェアが実行されているＰＣにおいて、当該処理の開始を示す指示が入力部５４に対してなされたとき、例えば、画像管理ソフトウェアの実行によって表示部５６に表示されている画面において、ポインタでクリックさせる操作等によってアルバムを操作する指示が入力部５４に対してなされたときに実行が開始される。
【００５３】
まず、図４のＳ１１１において、アルバム操作画面を表示部５６に表示させる処理が行われる。
アルバム操作画面を図６に例示する。なお、本実施形態においては、このとき、ＨＤＤ４１内の撮影画像フォルダ４２に格納されている撮影画像データファイル４３−ｎが読み出され、その撮影画像データファイル４３−ｎの各々によって表されている画像（この画像を「撮影画像」と称することとする）の一覧が図６における撮影画像表示部７１に表示される。
【００５４】
Ｓ１１２では、ユーザによってなされる、今回のアルバム操作の対象とするアルバムの選択の指示を入力部５４から取得する処理が行われる。なお、このアルバムの選択は、図６におけるアルバム選択表示７３に対するポインタクリック操作等によってなされる。
Ｓ１１３では、ＨＤＤ４１に格納されているフォルダのうち、前ステップの処理によって取得された指示に係るアルバムに対応するもの（このフォルダを「アルバムフォルダ」と称することとする）を参照する処理が行われる。
【００５５】
Ｓ１１４では、参照中のアルバムフォルダ内に格納されている画像データファイルを読み出し、読み出した画像データファイルで表されている画像（この画像を「アルバム画像」と称することとする）の一覧を表示部５６に表示中のアルバム操作画面に表示させる処理が行われる。図６に示す画面例では、この画像の一覧をアルバム画像表示部７２に表示させる。また、このアルバムフォルダに表紙画像の画像データファイルが含まれている場合には、この画像データファイルで表されている表紙画像を表紙画像表示部７４に表示させる。
【００５６】
Ｓ１１５では、入力部５４に対してなされた操作に対応するユーザからの指示を取得する処理が行われる。なお、図６に示す画面例においては、この指示は、画像追加指示ボタン７５、画像削除指示ボタン７６、表紙画像選択指示ボタン７７、タイトル入力指示ボタン７８、及びアルバム転送指示ボタン７９のうちのいずれかに対するクリック操作である。
【００５７】
Ｓ１１６では、Ｓ１１５の処理によって取得された指示が、図６においては画像追加指示ボタン７５に対するもの、すなわち撮影画像のアルバムへの追加の指示であったか否かを判定する処理が行われ、この判定結果がＹｅｓのときにのみ、Ｓ１１７において、指示に係る撮影画像についての画像データファイルを現在参照中のアルバムフォルダへ移動させる処理が行われる。
【００５８】
なお、図６においては、画像追加指示ボタン７５として「すべて追加」ボタンと「追加」ボタンとが設けられている。「すべて追加」ボタンは、撮影画像についての画像データファイルを現在参照中のアルバムフォルダへ移動させる指示であり、「追加」ボタンは、入力部５４に対する操作によって撮影画像のうち予め選択されていたもののみについての画像データファイルを現在参照中のアルバムフォルダへ移動させる指示である。
【００５９】
また、図６に示す画面例においては、この画像データファイルの移動に併せ、指示に係る撮影画像の表示場所をアルバム画像表示部７２の画像一覧の最後尾へと撮影画像表示部７１から移動させる。
Ｓ１１８では、Ｓ１１５の処理によって取得された指示が、図６においては画像削除指示ボタン７６に対するもの、すなわちアルバム画像のアルバムからの削除の指示であったか否かを判定する処理が行われ、この判定結果がＹｅｓのときにのみ、Ｓ１１９において、指示に係るアルバム画像についての画像データファイルを現在参照中のアルバムフォルダから削除する処理が行われる。
【００６０】
なお、図６においては、画像削除指示ボタン７５のクリックは、入力部５４に対する操作によってアルバム画像のうち予め選択されていたもののみについての画像データファイルを現在参照中のアルバムフォルダから削除する指示となる。
また、図６に示す画面例においては、この画像データファイルの削除に併せ、指示に係るアルバム画像の表示をアルバム画像表示部７２の画像一覧から消去する。
【００６１】
Ｓ１２０では、Ｓ１１５の処理によって取得された指示が表紙画像の作成に関するもの、図６においては表紙画像選択指示ボタン７７若しくはタイトル入力指示ボタン７８に対するものであったか否かを判定する処理が行われ、この判定結果がＹｅｓのときにのみ、Ｓ１２１において、表紙画像処理が行われる。なお、この表紙画像作成処理の詳細は後述する。
【００６２】
処理は図５へ進み、Ｓ１２２では、図４のＳ１１５の処理によって取得された指示が、図６においてはアルバム転送指示ボタン７９に対するもの、すなわちアルバムのカメラ１０への転送の指示であったか否かを判定する処理が行われ、この判定結果がＹｅｓのときにのみ、Ｓ１２３において、アルバム転送処理が行われる。なお、このアルバム転送処理の詳細も後述する。
【００６３】
Ｓ１２４では、図４のＳ１１５の処理によって取得された指示が、このアルバム操作処理の終了を示す指示であったか否かを判定する処理が行われる。そして、この判定結果がＹｅｓのときは、Ｓ１２５において、表示部５６に表示させていたアルバム操作画面を閉じる処理が行われ、その後はこのアルバム操作処理が終了する。一方、このＳ１２４の判定結果がＮｏのときには図４のＳ１１５へ処理を戻して上述した処理を繰り返す。
【００６４】
以上までの処理がアルバム操作処理である。
次に、上述したアルバム操作処理におけるＳ１２１（図４）の処理である表紙画像作成処理について説明する。表紙画像作成処理の処理内容を図７にフローチャートで示す。
まず、Ｓ１４１において、前述したアルバム操作処理におけるＳ１１５の処理によって取得された指示が、図６においてはタイトル入力指示ボタン７８に対するもの、すなわち既に設定済みである表紙画像に対するタイトルの入力の指示であったか否かを判定する処理が行われ、この判定結果がＹｅｓならばＳ１４９に処理を進める。一方、この判定結果がＮｏ、すなわち図６においては表紙画像選択指示ボタン７７に対するものであったならば、Ｓ１４２に処理を進める。
【００６５】
Ｓ１４２では表紙画像作成画面を開く（表示部５６に表示させる）処理が行われる。表紙画像作成画面を図８に例示する。
Ｓ１４３では、現在参照中のアルバムフォルダ内の画像データファイルを全て読み出す処理が行われ、続くＳ１４４において、読み出された画像データファイルの各々で表されているアルバム画像の一覧を表示部５６で表示中の表紙画像作成画面に表示させる処理か行われる。図８の画面例においては、このアルバム画像の一覧は表紙画像候補表示部８１に表示される。ここで、これらのアルバム画像は表紙画像の候補であり、ユーザがこの中から１枚の画像を仮に選択する指示に対応する操作を入力部５４に対して行うと、その画像が表紙画像表示部８２に表示される。
【００６６】
Ｓ１４５では、参照するフォルダを変更して表紙画像の候補の画像を変更する指示を取得したか否か、図８の画面例ではフォルダ設定部８３に対するクリック等の操作によって参照するフォルダを変更する指示を取得したか否かを判定する処理が行われる。そして、この判定結果がＹｅｓならば、Ｓ１４６において、取得された指示に係るフォルダを参照する処理が行われた後、処理をＳ１４３へ戻して上述した処理を繰り返す。この処理は、アルバム操作の対象であるアルバムの表紙画像を、そのアルバムに含まれているアルバム画像以外のものから選択することを可能とするものである。一方、Ｓ１４５の判定処理の結果かＮｏならばＳ１４７に処理を進める。
【００６７】
Ｓ１４７では、表紙画像を決定する指示を取得したか否か、図８の画面例では決定ボタン８４に対する操作がなされたか否かを判定する処理が行われる。そして、この判定結果がＹｅｓならば、Ｓ１４８において、決定指示に係る画像についての画像データファイルのファイル名を表紙画像についての画像データファイル（表紙画像データファイル）として読み出してＲＡＭ５３の所定の領域へ一時的に格納する処理が行われ、続くＳ１４９においてタイトル合成処理が行われ、その後はＳ１５１に処理を進める。このタイトル合成処理の詳細は後述する。なお、図６に示したアルバム操作画面の画面例においては、このときまで表示画像表示部７４に表示していた画像がこの決定指示に係る表紙画像に入れ替えられる。
【００６８】
一方、Ｓ１４７の判定処理の結果がＮｏのときにはＳ１５０に処理を進める。
Ｓ１５０では、表紙画像作成処理をキャンセルする指示を取得したか否か、図８の画面例ではキャンセルボタン８５に対する操作がなされたか否かを判定する処理が行われる。そして、この判定結果がＹｅｓならばＳ１５１に処理を進め、この判定結果がＮｏならばＳ１４５へ処理を戻して上述した処理を繰り返す。
【００６９】
Ｓ１５１では、表示部５６に表示中の表紙画像作成画面を閉じる（消去する）処理が行われる。その後は表紙画像作成処理を終了して図４のアルバム操作処理へと処理を戻す。
以上までの処理が表紙画像作成処理である。
次に、上述した表紙画像作成処理におけるＳ１４９の処理であるタイトル合成処理について説明する。タイトル合成処理の処理内容を図９にフローチャートで示す。
【００７０】
まず、Ｓ１６１において、タイトル入力画面を開く（表示部５６に表示させる）処理が行われる。タイトル入力画面を図１０に例示する。
Ｓ１６２では、ユーザによって入力部５４に対してなされた操作に対応する文字列の入力内容を取得する処理が行われる。図１０に示す画面例では、このときに取得された文字列の内容が入力テキスト表示部８６に表示される。
【００７１】
Ｓ１６３では、文字列の入力を終了し、タイトルとする文字列を決定させる指示を取得したか否か、図１０の画面例では決定ボタン８７に対する操作がなされたか否かを判定する処理が行われる。そして、この判定結果がＹｅｓならばＳ１６５に処理を進める。一方、この判定結果がＮｏならば、Ｓ１６４において、タイトル合成処理をキャンセルする指示を取得したか否か、図１０の画面例ではキャンセルボタン８８に対する操作がなされたか否かを判定する処理が行われる。そして、この判定結果がＹｅｓならばＳ１６６に処理を進め、この判定結果がＮｏならばＳ１６２へ処理を戻して上述した処理を繰り返す。
【００７２】
Ｓ１６５では、Ｓ１６２の処理によって取得された文字列を表している文字列像を生成し、前述した表紙画像作成処理（図７）におけるＳ１４７の処理によってＲＡＭ５３の所定の領域に格納されている表紙画像データファイルで表されている表紙画像にこの生成された文字列像を重畳合成し、得られた合成画像についての画像データファイルを表紙画像データファイルとして改めてＲＡＭ５３の当該領域に格納する処理が行われる。なお、図１０の画面例では、この文字列像として、文字スタイル設定部８９で設定された形状・大きさ・色のものが生成される。
【００７３】
Ｓ１６６では、ＲＡＭ５３の所定の領域に格納されている表紙画像データファイルに所定のファイル名を付与する処理が行われ、続くＳ１６７では、この表紙画像データファイルを現在参照中のアルバムフォルダに追加して格納する処理が行われる。なお、図６に示したアルバム操作画面の画面例においては、このときまで表示画像表示部７４に表示していた画像がこの文字合成がされた表示画像に入れ替えられる。
【００７４】
Ｓ１６８では、表示部５６に表示中のタイトル入力画面を閉じる（消去する）処理が行われる。その後はタイトル合成処理を終了して図７の表紙画像作成処理へと処理を戻す。
以上までの処理がタイトル合成処理である。このようにして表紙画像にタイトルを表す文字列の像を合成することにより、漢字等の文字のフォントデータを有していないカメラ１０であってもアルバムのタイトルの表示が可能となり、そのタイトルを表す文字も多様なスタイルのものとして表示することができる。
【００７５】
次に、前述したアルバム操作処理におけるＳ１２３（図５）の処理であるアルバム転送処理について説明する。アルバム転送処理の処理内容を図１１にフローチャートで示す。
まず、Ｓ１７１において、現在参照中のアルバムフォルダに対応するアルバムの名称を取得する処理が行われる。
【００７６】
Ｓ１７２では、カメラ１０のメモリカード１１に格納されているアルバムリストファイル１５の送出の要求を示すカメラ１０宛のデータをＵＳＢＩ／Ｆ５７から送出する処理が行われる。この送出要求を受け取ったカメラ１０において行われる処理の詳細は後述する。
【００７７】
Ｓ１７３では、上述した要求に応じてカメラ１０から送られてくるアルバムリストファイル１５をＵＳＢＩ／Ｆ５７に受信させて取得する処理が行われる。
なお、詳しくは後述するが、このとき、アルバムリストファイル１５が存在しない旨を通知するデータがカメラ１０から送られてくることもあるが、このデータが送られてきた場合には、この通知を受信させて取得する処理が行われる。そこで、Ｓ１７４において、カメラ１０にアルバムリストファイル１５が存在していたか否かを判定する処理が行われ、存在していなかったとき（判定結果がＮｏ）のときにのみ、Ｓ１７５において、アルバムリストファイル１５を新規作成する処理が行われる。
【００７８】
Ｓ１７６では、アルバムリストファイル１５内のアルバムリスト１７におけるＳ１７１の処理で取得したアルバム名のアルバムについてのリストを参照し、そのリストに示されている画像データファイルのファイル名の並びの末尾に、現在参照中のＨＤＤ４１内のアルバムフォルダに含まれている画像データファイルのファイル名を１つずつ追記する処理が行われる。
【００７９】
Ｓ１７７では、現在参照中のアルバムフォルダに表紙画像の画像データファイルが格納されているか否かを判定する処理が行われ、この判定結果がＹｅｓならばＳ１７８に、ＮｏならばＳ１８１に、それぞれ処理を進める。
Ｓ１７８では、タイトル画像の転送指示を取得していたか否かを判定する処理が行われ、この判定結果がＹｅｓならばＳ１８０に、ＮｏならばＳ１７９に、それぞれ処理を進める。なお、このタイトル画像の転送指示は、図６に示したアルバム操作画面の画面例では、アルバム表紙画像作成チェックボックス８０にチェックマークが付されていたか否かによって判定する。
【００８０】
Ｓ１７９では、現在参照中のアルバムフォルダに含まれている画像データファイルのうち、表紙画像についてのものを除いた全てをカメラ１０へ宛ててＵＳＢＩ／Ｆ５７から送出する処理が行われ、その後はＳ１８２に処理を進める。
Ｓ１８０では、Ｓ１７６の処理によってファイル名の追記を行ったアルバムのリストにおいて、現在参照中のアルバムフォルダに格納されている表紙画像の画像データファイルのファイル名をそのリストの先頭に移動して挿入する処理が行われる。この処理により、表紙画像の画像データファイルのファイル名がアルバムリスト１７におけるそのアルバムのリストの先頭に示されることとなる。
【００８１】
なお、このＳ１８０の処理の内容を変更し、現在参照中のアルバムフォルダに格納されている表紙画像の画像データファイルのファイル名をそのリストの末尾に移動して挿入する処理とすることにより、アルバム画像の逐次再生時に表紙画像をその最後に再生表示することができるようになる。これは、前述した処理によって作成した表紙画像をあたかもアルバムの裏表紙であるかのような感覚で扱うことを可能とするものである。
【００８２】
Ｓ１８１では、現在参照中のアルバムフォルダに含まれている画像データファイルの全てをカメラ１０へ宛ててＵＳＢＩ／Ｆ５７から送出する処理が行われる。
Ｓ１８２では、ファイル名のアルバムリスト１７への追記がされたアルバムリストファイル１５をカメラ１０へ宛ててＵＳＢＩ／Ｆ５７から送出する処理が行われ、その後はこのアルバム転送処理を終了して図５のアルバム操作処理へと処理を戻す。
【００８３】
以上までの処理がアルバム転送処理である。
次に、カメラ１０のＣＰＵ３０によって行われる制御処理について説明する。これらの処理は、いずれもＲＯＭ３１に格納されている制御プログラムをＣＰＵ３０が実行することによって実現される。
【００８４】
まず図１２にフローチャートで示すアルバム受信処理について説明する。この処理は、ＰＣ４０から送られてくるアルバムに関するデータをカメラ１０で受信するための処理であり、前述したアルバム転送処理がＰＣ４０で実行されてアルバムリストファイル１５の送出の要求を示すデータをＵＳＢＩ／Ｆ２９が受信したことがＣＰＵ３０によって検知されると開始される。
【００８５】
まず、Ｓ２０１では、メモリカード１１を探索してアルバムリストファイル１５が格納されているか否かを判定する処理が行われ、格納されているとき（判定結果がＹｅｓのとき）にはＳ２０２においてアルバムリストファイル１５を読み出してＰＣ４０へ宛ててＵＳＢＩ／Ｆ２９から送出する処理が行われ、格納されていなかったとき（判定結果がＮｏのとき）にはアルバムリストファイル１５が存在しない旨を通知するデータをＰＣ４０へ宛ててＵＳＢＩ／Ｆ２９から送出する処理が行われる。このＳ２０２若しくはＳ２０３の処理によって送出したデータは、前述したアルバム転送処理におけるＳ１７３の処理を実行しているＰＣ４０によって受信される。
【００８６】
Ｓ２０４では、Ｓ２０２若しくはＳ２０３の処理によって送出したデータに応じてＰＣ４０から送られてくるデータをＵＳＢＩ／Ｆ２９に受信させて取得する処理が行われる。
Ｓ２０５では、前ステップの処理によって取得されたデータが画像データファイルであるか否かを判定する処理が行われる。そして、この判定結果がＹｅｓのときは、Ｓ２０６において、取得した画像データファイルをメモリカード１１の画像ルートフォルダ１２内の画像格納フォルダ１３に格納する処理が行われ、その後はＳ２０４へと処理を戻して上述した処理が繰り返す。
【００８７】
一方、Ｓ２０５の判定結果がＮｏのときは、Ｓ２０７において、Ｓ２０４の処理によって取得されたデータがアルバムリストファイル１５であるか否かを判定する処理が行われる。前述したアルバム転送処理を実行しているＰＣ４０では、図１１のＳ１７９及びＳ１８１並びにＳ１８２の処理によって、転送対象である画像データファイルの送出を全て終えてからアルバムリストファイル１５が送出されるので、Ｓ２０７の判定結果がＹｅｓの場合にはＰＣ４０で実行されているアルバム転送処理は終了したとみなされ、Ｓ２０８に処理を進める。一方、Ｓ２０７の判定結果がＮｏの場合にはＳ２０４へと処理を戻して上述した処理を繰り返す。
【００８８】
Ｓ２０８では、Ｓ２０４の処理によって取得されたアルバムリストファイル１５をメモリカードのルートディレクトリの直下に上書きする処理が行われる。但し、このとき、撮影リスト１６は上書き前のアルバムリストファイル１５に示されていたものがそのまま保持される。その後はこのアルバム受信処理が終了する。
【００８９】
以上までの処理がアルバム受信処理である。
次に図１３に処理内容をフローチャートで示しているアルバム再生処理について説明する。この処理は、ＰＣ４０から送られてきたアルバムをカメラ１０で閲覧するための処理である。
【００９０】
このアルバム再生処理は、ユーザが操作入力部３２を操作して図１４の（ａ）に例示するようなアルバム操作に関する機能選択画面を表示部２８に表示させていたときに、操作入力部３２に対する更なる操作によって「アルバム再生」なる機能が選択されたときに開始される。
【００９１】
まず、Ｓ２１１においてアルバム選択処理が行われる。この処理はカメラ１０が保有している複数のアルバムのうちから閲覧するものを選択するための処理であり、その詳細は後述する。
Ｓ２１２では、メモリカード１１に格納されているアルバムリストファイル１５に示されているアルバムリスト１７が参照され、Ｓ２１１の処理によって選択されたアルバムに対応付けられて並べられているファイル名のうちの先頭のものを取得する処理が行われる。
【００９２】
Ｓ２１３では、直前に実行された処理によって取得されたファイル名である画像データファイル１４−ｎをメモリカード１１の画像ルートフォルダ１２内から探し出して取得する処理が行われる。
Ｓ２１４では、画像処理部２４及び表示処理部２７に指示を与え、前ステップで取得されたファイルで表されている画像を表示部２８に表示させる処理が行われる。
【００９３】
Ｓ２１５では、ユーザによる操作入力部３２に対する操作によってなされる、表示部２８の表示画像を現在表示中のものからその前後のものへと変更させる指示を取得したか否かを判定する処理が行われ、この指示を取得した（判定結果がＹｅｓ）ならばＳ２１６に、この指示を取得していない（判定結果がＮｏ）ならばＳ２１７に、それぞれ処理を進める。
【００９４】
Ｓ２１６では、メモリカード１１に格納されているアルバムリストファイル１５に示されているアルバムリスト１７が参照され、Ｓ２１１の処理によって選択されたアルバムに対応付けられて並べられているファイル名のうち、Ｓ２１５の処理によって取得したと判定された指示に係る順番のものを取得する処理が行われ、その後はＳ２１３へと処理を戻して上述した処理を繰り返す。
【００９５】
Ｓ２１７では、ユーザによる操作入力部３２に対する操作によってなされる、アルバム再生の終了の指示を取得したか否かを判定する処理が行われ、この指示を取得した（判定結果がＹｅｓ）ならば、Ｓ２１８において図１４（ａ）に示すようなアルバム操作機能選択画面を再度表示させる処理が行われ、その後はこのアルバム再生処理を終了する。一方、Ｓ２１７の判定結果がＮｏならばＳ２１５へと処理を戻して上述した処理を繰り返す。
【００９６】
以上までの処理がアルバム再生処理である。
次に、上述したアルバム再生処理におけるＳ２１１の処理であるアルバム選択処理について説明する。アルバム選択処理の処理内容を図１５にフローチャートで示す。
まず、Ｓ２２１において、アルバムリストファイル１５をメモリカード１１から読み出してアルバムリスト１７を参照する処理が行われる。
【００９７】
Ｓ２２２では、ユーザによる操作入力部３２に対する操作によってなされる、アルバムの表紙画像の表示部２８への表示方法についての指示の内容がどのようなものであるかを判定する処理が行われる。ここで、当該指示の内容が、図１４（ｂ）に例示するような、複数のアルバムの表紙画像を一覧表示（インデックス表示）させる指示であればＳ２２３に処理を進め、一方、当該指示の内容が、図１４（ｃ）に例示するような、アルバムの表紙画像を１枚ずつ表示（１コマ表示）させる指示であればＳ２２８に処理を進める。
【００９８】
Ｓ２２３では、アルバムリスト１７における各アルバムについての画像データファイル１４−ｎのファイル名の並びのうちの先頭のものを取得する処理が行われる。なお、この先頭のファイル名は、前述したアルバム転送処理におけるＳ１８０（図１１）の処理によって、各アルバムについての表紙画像の画像データファイル１４−ｎについてのものとなっている。
【００９９】
Ｓ２２４では、前ステップの処理によって取得されたファイル名である画像データファイル１４−ｎを、メモリカード１１の画像ルートフォルダ１２内から各々探し出して取得する処理が行われる。
Ｓ２２５では、画像処理部２４及び表示処理部２７に指示を与え、前ステップの処理によって取得された画像データファイル１４−ｎで各々表されている表紙画像を表示部２８に表示させる処理が行われる。
【０１００】
Ｓ２２６では、ユーザによる操作入力部３２に対する操作によって、表示部２８に一覧表示されている表紙画像のうちの１つを選択する指示がなされたか否かを判定する処理が行われ、この指示がなされるまで（判定結果がＹｅｓとなるまで）このＳ２２６の処理を繰り返す。
【０１０１】
Ｓ２２７では、ユーザによる操作入力部３２に対する操作によって、指示されている表紙画像のうちの１つの選択を決定させる指示を取得したか否かを判定する処理が行われ、この決定指示がなされたとき（判定結果がＹｅｓとなったとき）はこのアルバム選択処理を終了して図１３のアルバム再生処理へと処理を戻す。一方、この決定指示がなされていないとき（判定結果がＮｏのとき）はＳ２２６へ処理を戻して上述した処理を繰り返す。
【０１０２】
Ｓ２２８では、アルバムリスト１７におけるアルバム名「ＡＬＢＵＭ１」についての画像データファイル１４−ｎのファイル名の並びのうちの先頭のもの、すなわちこのアルバムについての表紙画像である画像データファイル１４−ｎのファイル名を取得する処理が行われる。
【０１０３】
Ｓ２２９では、直前に実行された処理によって取得されたファイル名である画像データファイル１４−ｎを、メモリカード１１の画像ルートフォルダ１２内から探し出して取得する処理が行われる。
Ｓ２３０では、画像処理部２４及び表示処理部２７に指示を与え、前ステップの処理によって取得された画像データファイル１４−ｎで表されている表紙画像を表示部２８に表示させる処理が行われる。
【０１０４】
Ｓ２３１では、ユーザによる操作入力部３２に対する操作によって、表示部１８に代表画像を表示中であるアルバムとは異なる他のアルバムを選択する指示を取得したか否かを判定する処理が行われ、この指示を取得したとき（判定結果がＹｅｓとなったとき）は、Ｓ２３２においてアルバムリスト１７における当該指示に係るアルバム名についての画像データファイル１４−ｎのファイル名の並びのうちの先頭のものを取得する処理が行われ、その後はＳ２２９へ処理を戻して上述した処理を繰り返す。
【０１０５】
一方、Ｓ２３１においてそのような指示を取得していない（判定結果がＮｏのとき）は、Ｓ２３３において、ユーザによる操作入力部３２に対する操作によって、指示されている表紙画像のうちの１つの選択を決定させる指示を取得したか否かを判定する処理が行われる。ここで、この決定指示がなされたとき（判定結果がＹｅｓとなったとき）はこのアルバム選択処理を終了して図１３のアルバム再生処理へと処理を戻す。一方、この決定指示がなされていないとき（判定結果がＮｏのとき）はＳ２３１へ処理を戻して上述した処理を繰り返す。
【０１０６】
以上までの処理がアルバム選択処理である。
以上までに説明した各種の処理がＰＣ４１のＣＰＵ５１とカメラ１０のＣＰＵ３０とで各々行われることにより、メモリカード１１の記録量の消費を抑制しつつアルバムとそのアルバムについての表紙画像との関係を管理することができるようになる。
【０１０７】
なお、上述した実施形態においては、アルバムの作成・編集をＰＣ４０上で行わせるようにしていたが、図４、図５、図７、図９に示した各処理をカメラ１０のＣＰＵ３０で行わせるようにすることにより、アルバムの作成・編集をカメラ１０上で行わせるようにすることもできる。また、上述した実施形態においては、代表画像の表示を含むアルバムの再生をカメラ１０で行うようにしていたが、図１１及び図１２に示した各処理をＰＣ４１のＣＰＵ５１で行わせるようにすることにより、代表画像の表示を含むアルバムの再生をＰＣ４０で行うようにすることもできる。
【０１０８】
その他、本発明は、上述した実施形態に限定されることなく、本発明の要旨を逸脱しない範囲内で種々の改良・変更が可能である。
【図面の簡単な説明】
【０１０９】
【図１】アルバム機能の実施例の概要を説明する図である。
【図２】図１に示したカメラ及びＰＣのハードウェア構成を示す図である。
【図３】撮影画像取得処理の処理内容を示すフローチャートである。
【図４】アルバム操作処理の処理内容を示すフローチャート（その１）である。
【図５】アルバム操作処理の処理内容を示すフローチャート（その２）である。
【図６】アルバム操作画面の画面例を示す図である。
【図７】表紙画像作成処理の処理内容を示すフローチャートである。
【図８】表紙画像作成画面の画面例を示す図である。
【図９】タイトル合成処理の処理内容を示すフローチャートである。
【図１０】タイトル入力画面の画面例を示す図である。
【図１１】アルバム転送処理の処理内容を示すフローチャートである。
【図１２】アルバム受信処理の処理内容を示すフローチャートである。
【図１３】アルバム再生処理の処理内容を示すフローチャートである。
【図１４】カメラでの表示画面例を示す図である。
【図１５】アルバム選択処理の処理内容を示すフローチャートである。
【図１６】アルバム機能搭載カメラにおける画像データ管理の手法を説明する図である。
【符号の説明】
【０１１０】
１０  カメラ
１１  メモリカード
１２  画像ルートフォルダ
１３  画像格納フォルダ
１４−１、１４−２、１４−ｎ  画像データファイル
１５  アルバムリストファイル
１６  撮影リスト
１７  アルバムリスト
２１  レンズ
２２  撮像部
２３  撮像処理部
２４  画像処理部
２５  ＲＡＭ
２６  メモリＩ／Ｆ部
２７  表示処理部
２８  表示部
２９  ＵＳＢＩ／Ｆ
３０  ＣＰＵ
３１  ＲＯＭ
３２  操作入力部
３３  バス
４０  ＰＣ
４１  ＨＤＤ
４２  撮影画像フォルダ
４３−１、４３−２、４３−ｎ  撮影画像データファイル
５１  ＣＰＵ
５２  ＲＯＭ
５３  ＲＡＭ
５４  入力部
５５  データ読取装置
５６  表示部
５７  ＵＳＢＩ／Ｆ
５８  バス
６０  ＵＳＢバス
７１  撮影画像表示部
７２  アルバム画像表示部
７３  アルバム選択表示
７４  表紙画像表示部
７５  画像追加指示ボタン
７６  画像削除指示ボタン
７７  表紙画像選択指示ボタン
７８  タイトル入力指示ボタン
７９  アルバム転送指示ボタン
８０  アルバム表紙作成チェックボックス
８１  表紙候補画像表示部
８２  表紙画像表示部
８３  フォルダ設定部
８４  決定ボタン
８５  キャンセルボタン
８６  入力テキスト表示部
８７  決定ボタン
８８  キャンセルボタン
８９  文字スタイル設定部
【図１】
2005157909.tif 000003
【図２】
2005157909.tif 000004
【図３】
2005157909.tif 000005
【図４】
2005157909.tif 000006
【図５】
2005157909.tif 000007
【図６】
2005157909.tif 000008
【図７】
2005157909.tif 000009
【図８】
2005157909.tif 000010
【図９】
2005157909.tif 000011
【図１０】
2005157909.tif 000012
【図１１】
2005157909.tif 000013
【図１２】
2005157909.tif 000014
【図１３】
2005157909.tif 000015
【図１４】
2005157909.tif 000016
【図１５】
2005157909.tif 000017
【図１６】
2005157909.tif 000018